(57)【要約】      （修正有）【課題】鍵盤楽器本体の押鍵位置に応じて光を発光させることにより、演奏者以外の者が視覚的に演出を楽しめる鍵盤楽器用演出装置を提供する。【解決手段】本鍵盤楽器用演出装置１は、鍵盤楽器本体３に設けられた鍵盤５の数に応じて配置された複数の発光体１２を備え、鍵盤楽器本体３から分離した表示器１０と、鍵盤楽器本体３からのＭＩＤＩ又はＵＳＢに基づいて複数の発光体１２の発光状態を制御する制御手段とを備えた鍵盤楽器用演出装置であって、鍵盤楽器本体３から分離した表示器１０は、演奏者以外の者に複数の発光体１２の発光状態が視認可能に自在に設置可能な構造を有することを特徴とする。【選択図】図１
0003165843.tif 000002
【実用新案登録請求の範囲】
【請求項１】
鍵盤楽器本体に設けられた鍵盤の数に応じて配置された複数の発光体を備え、前記鍵盤楽器本体から分離した表示器と、
前記鍵盤楽器本体からのＭＩＤＩ又はＵＳＢに基づいて前記複数の発光体の発光状態を制御する制御手段と、
を備えた鍵盤楽器用演出装置であって、
前記鍵盤楽器本体から分離した表示器は、演奏者以外の者に前記複数の発光体の発光状態が視認可能に自在に設置可能な構造を有することを特徴とする鍵盤楽器用演出装置。
【請求項２】
鍵盤楽器本体に設けられた鍵盤の数に応じて配置された複数の発光体を備え、前記鍵盤楽器本体に一体的に内蔵された表示器と、
前記鍵盤楽器本体に一体的に内蔵され、鍵盤楽器本体からのＭＩＤＩ又はＵＳＢ又は直接鍵盤情報に基づいて前記複数の発光体の発光状態を制御する制御手段と、
を備えた鍵盤楽器用演出装置であって、
前記鍵盤楽器本体に一体的に内蔵された表示器は、前記鍵盤楽器本体の背面側に配置されて、演奏者の前方に向けて光を照射する構造を有することを特徴とする鍵盤楽器用演出装置。
【請求項３】
前記複数の発光体のそれぞれは、赤色ＬＥＤ、緑色ＬＥＤ及び青色ＬＥＤの３色のＬＥＤを有し、
前記制御手段は、前記発光体が発光する色をフルカラーで制御するコントローラを有することを特徴とする請求項１または２に記載の鍵盤楽器用演出装置。
【請求項４】
前記制御手段は、前記コントローラにより制御された配色を、押鍵位置に応じた前記各発光体が発光するよう制御し、
押鍵を行わないときは、前記全ての発光体は前記押鍵時とは異色又は異輝度で発光するよう制御することを特徴とする請求項２または３に記載の鍵盤楽器用演出装置。
【請求項５】
前記複数の発光体は鍵盤の数に応じて列状に２段配列され、
前記制御手段は、押鍵を行わないときは、前記２段配列された前記複数の発光体の上段のみが発光するように制御し、
押鍵時は、押鍵位置に応じた前記２段配列された複数の発光体の上段の前記各発光体が消灯するように制御すると共に、前記２段配列された複数の発光体の下段の前記各発光体が発光するように制御することを特徴とする請求項１から３のいずれか１項に記載の鍵盤楽器用演出装置。
【考案の詳細な説明】
【技術分野】
【０００１】
本考案は、鍵盤楽器本体からのＭＩＤＩ又はＵＳＢに基づいて光を発光する発光体の状態を制御すると共に、鍵盤楽器本体に設けられた鍵盤の押鍵位置に応じた発光体が発光する鍵盤楽器用演出装置に関する。
【背景技術】
【０００２】
従来、楽曲に合わせた押鍵位置をＬＥＤにてガイド表示し、演奏者が楽譜によらずガイド表示の誘導によって楽曲を演奏できるようにした鍵盤楽器の演奏ガイド装置が知られている。このような演奏ガイド装置は、楽譜の読めない初心者にとっては好適であるが、楽譜が読めるようになって、さらに上級に進もうとする者にとっては機能が不足する。そこで、液晶装置を用いたガイド表示板に演奏しようとしている楽譜の一部を表示し、この楽譜と押鍵位置をＬＥＤにより順次表示して、演奏者を誘導する演奏ガイド装置が知られている。この演奏ガイド装置によれば、楽譜の音符と鍵盤の鍵との関係が明確に表示され、演奏者の読譜力の向上を期待することができる。
【０００３】
さらに、特許文献１に開示されているように、音譜を鍵盤上空間または鍵盤表面に投射し、押鍵された鍵を検知すると、演奏する音符に対応する鍵盤上空間または鍵盤表面の位置に演奏する音符を移動させ、演奏する楽曲の楽曲データに基づいて、任意の小節分表示する演奏ガイド装置が知られている。このような演奏ガイド装置は、演奏する音符に対応する鍵盤上空間または鍵盤表面の位置に演奏する音符が位置するように移動させるので、演奏者は、表示された楽譜の音符の位置と押鍵すべき実際の鍵盤上の鍵の位置との物理的対応関係が取り易くなり、楽譜と押鍵位置との関係が明確に理解できるようになる。これにより、演奏者は効率良く、読譜学習や演奏学習ができ、楽譜を見ながら演奏するための技術を容易に習得することができる。
【先行技術文献】
【特許文献】
【０００４】
【特許文献１】特開２００９−００３００４
【考案の概要】
【考案が解決しようとする課題】
【０００５】
上記した演奏ガイド装置においては、演奏者に対して演奏ガイドを行うことによる、読譜力や演奏力の向上を目的としており、演奏者以外の者が演奏者の演奏状況を視覚的に楽しむことについては考慮されていない。
【０００６】
本考案は、上記した問題に着目してなされたものであり、鍵盤楽器本体に設けられた鍵盤の押鍵位置に応じて光を発光させることにより、演奏者以外の者が視覚的に演奏者の演奏状況を楽しめる鍵盤楽器用演出装置を提供することを目的とする。
【課題を解決するための手段】
【０００７】
上記した目的を達成するために、本考案は、鍵盤楽器本体に設けられた鍵盤の数に応じて配置された複数の発光体を備え、前記鍵盤楽器本体から分離した表示器と、前記鍵盤楽器本体からのＭＩＤＩ又はＵＳＢに基づいて前記複数の発光体の発光状態を制御する制御手段と、を備えた鍵盤楽器用演出装置であって、前記鍵盤楽器本体から分離した表示器は、演奏者以外の者に前記複数の発光体の発光状態が視認可能に自在に設置可能な構造を有することを特徴とする。
【０００８】
上記した構成の鍵盤楽器用演出装置は、鍵盤楽器本体からのＭＩＤＩ又はＵＳＢに基づいて光を発光する発光体の状態を制御すると共に、鍵盤楽器本体に設けられた鍵盤の押鍵位置に応じた発光体が発光する表示器を備えており、この表示器は、演奏者以外の者が視認可能となるよう設置されることから、演奏者以外の者は視覚的に演奏者の演奏状況を楽しむことが可能となる。  
なお、上記した構成では、表示器及び制御手段は、鍵盤楽器本体に一体的に内蔵された構造であっても良い。このような構成では、表示器は、鍵盤楽器本体の背面側に配置されて、演奏者の前方に向けて光を照射する構造を有しており、演奏者以外の者は視覚的に演奏者の演奏状況を楽しむことが可能となる。
【考案の効果】
【０００９】
本考案によれば、鍵盤楽器本体に設けられた鍵盤の押鍵位置に応じた表示器の発光体が発光するため、演奏者以外の者が視覚的に演奏者の演奏状況を楽しむことが可能となる。
【図面の簡単な説明】
【００１０】
【図１】本考案に係る鍵盤楽器用演出装置を示す外観図。
【図２】本考案に係る鍵盤楽器用演出装置に適用される制御手段のブロック図。
【図３】本考案に係る鍵盤楽器用演出装置の第２の実施形態を示す外観図。
【図４】本考案に係る鍵盤楽器用演出装置の第３の実施形態を示す外観図。
【考案を実施するための形態】
【００１１】
以下、本考案に係る鍵盤楽器用演出装置に関して具体的に説明する。
図１は本考案に係る鍵盤楽器用演出装置の第１の実施形態を示す図である。
【００１２】
本実施形態に係る鍵盤楽器用演出装置１は、鍵盤楽器本体３（例えばシンセサイザー、電子ピアノ、エレクトーン（登録商標）など）に設けられた鍵盤５の数に応じて列状に配置された複数の発光体１２を備えた表示器１０と、ＭＩＤＩ又はＵＳＢ機能を有する前記鍵盤楽器本体３からのＭＩＤＩ又はＵＳＢに基づいて、前記複数の発光体１２の発光状態を制御する制御ボックス（制御手段）１５と、を具備している。
【００１３】
前記表示器１０は、複数（本実施形態では鍵盤楽器本体３の鍵盤５の数と同数の８８個とする）の発光体１２を備えており、これら複数の発光体１２は列状に配置されて筐体１３に組み込まれている。筐体１３の底部には脚部１４が設置されており、筐体１３を支持している。前記筐体１３は、鍵盤楽器本体３とは別体として構成されるため、例えば図に示すように鍵盤楽器本体３の背面側に設置することが可能となる。すなわち、表示器１０に設けられた発光体１２は、演奏者の前方を照射するため、演奏者以外の者が前記８８個の発光体１２の発光状態が視認可能となる。  
なお、前記８８個の発光体１２の発光状態は、後述する制御ボックス１５により分離処理された制御信号を受信するドライバにより制御される。
【００１４】
前記８８個の発光体１２は、それぞれ赤色ＬＥＤ（Ｒ）、緑色ＬＥＤ（Ｇ）及び青色ＬＥＤ（Ｂ）の３色のＬＥＤを含んでおり、各発光体１２が発光する色は、後述するように制御ボックス１５に設けられた操作部２４、２５を操作することによりフルカラーで制御される。
【００１５】
前記制御ボックス１５は、図２に示すように、ＭＩＤＩ又はＵＳＢ機能を有する鍵盤楽器本体３から受信したＭＩＤＩ又はＵＳＢを、各鍵盤情報に分離する、ＭＩＤＩ又はＵＳＢ処理部（以下、処理部と称する）２０と、前記各発光体１２が発光する色を電流制御するコントローラ２４Ａ、２５Ａと、分離処理された鍵盤情報を記憶するレジスタ（発光体１２の数に対応したレジスタ１〜レジスタ８８）と、を備えている。また、制御ボックス１５には、前記コントローラ２４Ａ、２５Ａの電流を調整して、前記各発光体１２が発光する色を演奏者等がフルカラーで変更可能とする操作部２４、２５が設けられている。
【００１６】
前記処理部２０はＣＰＵを含んでおり、各鍵盤５のオン／オフを検知するステータス情報、押鍵された鍵盤の位置（鍵盤番号）を検知するキーＮｏ情報、鍵盤の押鍵力を検知するベロシティ情報、を含むＭＩＤＩ又はＵＳＢを所定時間毎に受信し、各情報を分離処理する機能を備えている。分離された結果は、押鍵された鍵盤５の位置に応じた各レジスタ（１〜８８）に記憶される。なお、表示器１０及び制御ボックスが、鍵盤楽器本体に一体化内蔵された構成では、鍵盤情報は、処理部２０を使用することなく得ることが可能であるため、各鍵盤から直接接続することも可能である。
【００１７】
前記コントローラ２４Ａは、演奏者等が前記操作部２４を調整することで、押鍵された鍵盤５の位置に応じた各発光体１２の発光する色が変更されるように電流制御している。この場合、前記操作部２４は、鍵盤５が押鍵されたとき、押鍵された鍵盤５に応じた各発光体１２が発光する色を変更可能である調整部材（２４Ｒ、２４Ｇ、２４Ｂ）を備えている。前記調整部材２４Ｒは赤色ＬＥＤ（Ｒ）の電流値を調整可能とし、前記調整部材２４Ｇは緑色ＬＥＤ（Ｇ）の電流値を調整可能とし、前記調整部材２４Ｂは青色ＬＥＤ（Ｂ）の電流値を調整可能としている。すなわち、演奏者等が、各調整部材２４Ｒ、２４Ｇ、２４Ｂを任意に調整することで、前記コントローラ２４Ａでは、各色に対する電流値が変更（各色の輝度が変更）され、押鍵された鍵盤５に対応する各発光体１２のドライバ（発光体１２の数に対応しており、各発光体１２を駆動するドライバ１〜ドライバ８８）を駆動して各発光体１２が発光する色をフルカラーで変更することが可能となっている。
【００１８】
また、前記コントローラ２５Ａは、前記コントローラ２４Ａと同じように、前記操作部２５を調整することで、鍵盤５が押鍵されていないとき前記８８個の発光体１２の発光する色が変更されるように電流制御している。この場合、前記操作部２５は、鍵盤５が押鍵されていないとき、各発光体１２が発光する色が同一となるよう変更可能である調整部材（２５Ｒ、２５Ｇ、２５Ｂ）を備えている。前記調整部材２５Ｒは赤色ＬＥＤ（Ｒ）の電流値を調整可能とし、前記調整部材２５Ｇは緑色ＬＥＤ（Ｇ）の電流値を調整可能とし、前記調整部材２５Ｂは青色ＬＥＤ（Ｂ）の電流値を調整可能としている。すなわち、演奏者等が、各調整部材２５Ｒ、２５Ｇ、２５Ｂを任意に調整することで、前記コントローラ２５Ａでは、各色に対する電流値が変更（各色の輝度が変更）され、各発光体１２のドライバ１〜ドライバ８８を駆動して前記８８個の発光体１２が発光する色を同時変更することが可能となっている。このため、演奏者が鍵盤５を押鍵していないときは、前記８８個の発光体１２は全て押鍵時とは異色で発光しており、前記８８個の発光体１２が発光する色は、各調整部材２５Ｒ、２５Ｇ、２５Ｂを操作することによって、異なる色、或いは異輝度に変更することが可能となっている。
【００１９】
前記レジスタ１〜レジスタ８８は、前記処理部２０で分離処理された各鍵盤５のステータス情報及びベロシティ情報を格納しており、格納された各鍵盤５の情報は、各発光体１２を駆動するドライバ１〜ドライバ８８へ制御信号として送信される。また、前記コントローラ２４Ａは、演奏者等が操作部２４に備えられた各調整部材２４Ｒ、２４Ｇ、２４Ｂを調整することで、各発光体１２の発光する色が変更されるように電流制御している。電流制御された信号は、各発光体１２を駆動するドライバ１〜ドライバ８８へ制御信号として送信される。さらに、前記コントローラ２５Ａは、前記コントローラ２４Ａと同じように、演奏者等が前記操作部２５に備えられた各調整部材２５Ｒ、２５Ｇ、２５Ｂを調整することで各発光体１２の発光する色が変更されるように電流制御している。電流制御された信号は、各発光体１２を駆動するドライバ１〜ドライバ８８へ制御信号として送信される。前記各ドライバ１〜ドライバ８８で受信した各制御信号は、前述のとおり、前記鍵盤５に応じた各発光体１２に送信され、押鍵された鍵盤５に応じた各発光体１２が駆動制御されることとなる。
【００２０】
以上のように、前記鍵盤楽器用演出装置１は鍵盤楽器本体３とは別体として構成されているため、前記表示器１０は演奏者以外の者が視認することができるように自在に設置することが可能となる。例えば、各発光体１２が演奏者の前方を照射するように設置することで、演奏者以外の者が各発光体１２の発光する光を視認することが可能となる。このような鍵盤楽器用演出装置１では、演奏者が鍵盤５の押鍵を行う前は前記８８個の発光体１２は全て押鍵時とは異色で発光しており、演奏者が演奏を始めると、押鍵した鍵盤５に応じた各発光体１２が押鍵していない鍵盤５とは異なる色に発光（異輝度で発光）するため、演奏者以外の者が演奏者の押鍵状況を視覚的に楽しむことが可能となる。なお、各発光体１２が発光する色については、制御ボックス１５に設けられた操作部２５の各調整部材２５Ｒ、２５Ｇ、２５Ｂを調整することで、押鍵を行う前に前記発光体１２が発光する色を変更することができる。また、制御ボックス１５に設けられた操作部２４の各調整部材２４Ｒ、２４Ｇ、２４Ｂを調整することで、押鍵された鍵盤５に応じた各発光体１２が発光する色を変更することができる。従って、演奏者等により、演奏する曲に応じた色に変更することが可能となる。
【００２１】
次に、図３を参照して、本考案に係る鍵盤楽器用演出装置の第２の実施形態について説明する。図３は鍵盤楽器用演出装置の外観図であり、以下に説明する実施形態において、前記実施形態と同一の構成部材については、同一の参照符号を付し、詳細な説明については省略する。
【００２２】
本実施形態に係る鍵盤楽器用演出装置１は、鍵盤楽器本体３に一体化して内蔵されており、制御ボックス１５内で処理される鍵盤情報は、直接鍵盤から入力可能としている（図２の一体化内蔵の場合を参照）。すなわち、制御ボックスでは、前記処理部２０は不要とされ、発光制御される表示器１０が鍵盤楽器本体３の背面側に配置されていることを特徴とする。
【００２３】
前記表示器１０は、図１と同じように、８８個の発光体１２を備えており、前記８８個の発光体１２は列状に配置されて鍵盤楽器本体３の背面側に露出した状態となっている。鍵盤楽器演出装置１が内蔵された鍵盤楽器本体３は、脚部１４Ａで支持されており、前記８８個の発光体１２は演奏者の前方へ照射するよう配置されている。このような構成にすることで、上記した実施形態と同様、演奏者以外の者が前記８８個の発光体１２の発光状態を視認することができ、押鍵状況を視覚的に楽しむことが可能となる。また、表示器１０及び制御ボックス１５が鍵盤楽器本体３に内蔵されていることから、持ち運びが容易となる。
【００２４】
図４は、本考案に係る鍵盤楽器用演出装置の第３の実施形態を示す外観図である。
【００２５】
本実施形態に係る鍵盤楽器用演出装置１は、鍵盤楽器本体３に設けられた鍵盤５の数に応じて列状に配置された発光体（１２Ａ、１２Ｂ）を２段配列したことを特徴とする。前記鍵盤楽器用演出装置１は、前記発光体（１２Ａ、１２Ｂ）を備えた表示器１０と、ＭＩＤＩ機能を有する鍵盤楽器本体３からのＭＩＤＩ又はＵＳＢに基づいて、前記発光体１２Ａ、１２Ｂの発光状態を制御する制御ボックス１５と、を具備している。
【００２６】
前記表示器１０は、鍵盤楽器本体３に設けられた８８本の鍵盤５の数に応じて列状に配置された発光体１２Ａを上段とし、前記８８本の鍵盤５の数に応じて列状に配置された発光体１２Ｂを下段として筐体１３に組み込まれている。前記筐体１３は、図１と同じように、脚部１４で支持され、鍵盤楽器本体３とは別体として構成されている。
【００２７】
前記制御ボックス１５は、前記鍵盤楽器本体３に設けられた鍵盤５が押鍵されていないとき、前記上段に配列された８８個の発光体１２Ａが発光する同一の色を制御すると共に、前記下段に配列された８８個の発光体１２Ｂが消灯するように制御する。また、鍵盤５が押鍵されたとき、前記上段に配列された８８個の発光体１２Ａの押鍵された鍵盤５に応じた各発光体１２Ａが消灯するよう制御すると共に、前記下段に配列された８８個の発光体１２Ｂの押鍵された鍵盤５に応じた各発光体１２Ｂが発光するように制御する。
【００２８】
また、前記制御ボックス１５は、操作部２５に備えられた各調整部材２５Ｒ、２５Ｇ、２５Ｂを調整することで、上記した実施形態と同様、鍵盤５が押鍵されていないとき、前記上段に配列された８８個の発光体１２Ａが発光する同一の色を変更可能としている。また、操作部２４に備えられた各調整部材２４Ｒ、２４Ｇ、２４Ｂを調整することで、鍵盤５が押鍵されたとき、前記下段に配列された各発光体１２が発光する色を変更可能としている。
【００２９】
このような構成にすることで、演奏者が鍵盤楽器本体３に設けられた鍵盤５の押鍵を行う前は、前記上段に配列された８８個の発光体１２Ａは各調整部材２５Ｒ、２５Ｇ、２５Ｂで調整された同一色を発光すると共に、下段に配列された８８個の発光体１２Ｂは消灯する。そして、演奏者が演奏を始めると、押鍵した鍵盤５に応じた上段の発光体１２Ａが消灯すると共に、その下段にある発光体１２Ｂが各調整部材２４Ｒ、２４Ｇ、２４Ｂで調整された色を発光するため、演奏者の押鍵状況をより視覚的に楽しむことが可能となる。
なお、本実施形態において、押鍵を行わないとき、前記下段に配列された８８個の発光体１２Ｂが操作部２５で調整された色を発光すると共に、前記上段に配列された８８個の発光体１２Ａが消灯してもよい。このような構成の場合、押鍵時は、押鍵した鍵盤５に応じた下段の発光体１２Ｂが消灯すると共に、その上段にある発光体１２Ａが、操作部２４で調整された色を発光する。
【００３０】
以上、本考案の実施形態について説明したが、本考案は、上記した実施形態に限定されることはなく、種々変形することが可能である。
【００３１】
例えば、鍵盤の数に応じて配置された複数の発光体の配列は、適宜、変更することが可能である。すなわち、鍵盤楽器本体に設けられた黒鍵盤の位置に応じた発光体を、白鍵盤の位置に応じた発光体より上方に配置することで、鍵盤楽器本体と同じ配列とすることができ、演奏者の押鍵位置をより視覚的に楽しむことが可能となる。また、発光体の数については、本実施形態の数に限定されず、鍵盤の数（例えば７６鍵、６１鍵など）に応じて適宜、変更することが可能である。さらに、列状に配置された発光体を８８個配列しておき、鍵盤楽器本体の鍵盤の数以上の発光体は消灯しても良く（例えば７６鍵の鍵盤楽器の場合、発光体は１２個消灯する）、使用する頻度が高い鍵盤の数だけ部分的に発光するようにしても良い。
【００３２】
さらに、図２に示す制御ボックス１５による発光体の制御方法は一例を示しただけであり、例えば、押鍵を行わないとき複数の発光体は消灯しておき、押鍵した鍵盤に応じた発光体を、操作部で調整された色で発光制御するなど、適宜、変更可能である。このような構成にすることで、押鍵した鍵盤に応じた発光体が発光するため、演奏者以外の者が演奏者の押鍵位置を視覚的に楽しむことが可能となる。なお、発光体を構成するＬＥＤは本実施形態のように、赤色ＬＥＤ、緑色ＬＥＤ、青色ＬＥＤの３つのＬＥＤを有さず、赤色ＬＥＤのみなどの単色での発光も可能である。  
また、鍵盤楽器用演出装置を自動演奏機能付き鍵盤楽器本体に設置することで、自動演奏時においても、聴衆者が視覚的に楽しむ演出を行うことが可能となる。
【符号の説明】
【００３３】
１              鍵盤楽器用演出装置
３              鍵盤楽器本体
５              鍵盤
１０            表示器
１２Ａ、１２Ｂ  発光体
１３            筐体
１４、１４Ａ    脚部
１５            制御手段（制御ボックス）
２０            ＭＩＤＩ又はＵＳＢ処理部
２２Ａ、２２Ｂ  コントローラ
２４Ａ、２４Ｂ  操作部
【図１】
0003165843.tif 000003
【図２】
0003165843.tif 000004
【図３】
0003165843.tif 000005
【図４】
0003165843.tif 000006
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
鍵盤楽器本体に設けられた鍵盤の数に応じて配置された複数の発光体を備え、前記鍵盤楽器本体から分離した表示器と、
前記鍵盤楽器本体からのＭＩＤＩ又はＵＳＢ端子からの演奏データに基づいて前記複数の発光体の発光状態を制御する制御手段と、
を備えた鍵盤楽器用演出装置であって、
前記鍵盤楽器本体から分離した表示器は、演奏者以外の者に前記複数の発光体の発光状態が視認可能に自在に設置可能な構造を有することを特徴とする鍵盤楽器用演出装置。
【請求項２】
鍵盤楽器本体に設けられた鍵盤の数に応じて配置された複数の発光体を備え、前記鍵盤楽器本体に一体的に内蔵された表示器と、
前記鍵盤楽器本体に一体的に内蔵され、鍵盤楽器本体からのＭＩＤＩ又はＵＳＢ端子からの演奏データ又は直接鍵盤情報に基づいて前記複数の発光体の発光状態を制御する制御手段と、
を備えた鍵盤楽器用演出装置であって、
前記鍵盤楽器本体に一体的に内蔵された表示器は、前記鍵盤楽器本体の背面側に配置されて、演奏者の前方に向けて光を照射する構造を有することを特徴とする鍵盤楽器用演出装置。
【請求項３】
前記複数の発光体のそれぞれは、赤色ＬＥＤ、緑色ＬＥＤ及び青色ＬＥＤの３色のＬＥＤを有し、
前記制御手段は、前記発光体が発光する色をフルカラーで制御するコントローラを有することを特徴とする請求項１または２に記載の鍵盤楽器用演出装置。
【請求項４】
前記制御手段は、前記コントローラにより制御された配色を、押鍵位置に応じた前記各発光体が発光するよう制御し、
押鍵を行わないときは、前記全ての発光体は前記押鍵時とは異色又は異輝度で発光するよう制御することを特徴とする請求項３に記載の鍵盤楽器用演出装置。
【請求項５】
前記複数の発光体は鍵盤の数に応じて列状に２段配列され、
前記制御手段は、押鍵を行わないときは、前記２段配列された前記複数の発光体の上段のみが発光するように制御し、
押鍵時は、押鍵位置に応じた前記２段配列された複数の発光体の上段の前記各発光体が消灯するように制御すると共に、前記２段配列された複数の発光体の下段の前記各発光体が発光するように制御することを特徴とする請求項１から３のいずれか１項に記載の鍵盤楽器用演出装置。
【手続補正２】
【補正対象書類名】明細書
【補正対象項目名】０００１
【補正方法】変更
【補正の内容】
【０００１】
本考案は、鍵盤楽器本体からのＭＩＤＩ又はＵＳＢ端子からの演奏データ（以下、明細書内において単にＵＳＢと称する）に基づいて光を発光する発光体の状態を制御すると共に、鍵盤楽器本体に設けられた鍵盤の押鍵位置に応じた発光体が発光する鍵盤楽器用演出装置に関する。